(57)【要約】      （修正有）【課題】シート材を容易にスクリーン間に配置することができるとともにスクリーンの摩擦低減用のシート材の垂下長さを変更する必要がないロールスクリーンを提供する。【解決手段】ロールスクリーンは、セットフレーム１１０によって両端を回転可能に支持される巻取パイプ１２０と、一端が巻取パイプ１２０に巻取り及び巻解き可能に連結されるスクリーン１３０と、スクリーン１３０とは独立に垂下するシート材１５０と、を備え、スクリーン１３０は、巻取パイプから垂下してウェイトバーで折り返されることによって、前後に重なった状態で昇降し、シート材１５０は、巻取パイプ１２０の外周に向かって垂下し、前後のスクリーン１３０間に介在されて構成される。このため、スクリーン１３０の垂下量を調整するときでもスクリーン１３０の摩擦低減用のシート材１５０の垂下長さを変更する必要がない。【選択図】図２
2018071084.tif 000002
【特許請求の範囲】
【請求項１】
支持部材によって両端を回転可能に支持される巻取パイプと、
一端が巻取パイプに巻取り及び巻解き可能に連結されるスクリーンと、
前記スクリーンとは独立に垂下するシート材と、
を備え、
前記スクリーンは、前記巻取パイプから垂下してウェイトバーで折り返されることによって、前後に重なった状態で昇降し、
前記シート材は、前記巻取パイプの外周に向かって垂下し、前後の前記スクリーン間に介在されることを特徴とする、ロールスクリーン。
【請求項２】
前記シート材の上端は、前記巻取パイプの外周面よりも軸心寄りの位置に連結されることを特徴とする、請求項１に記載のロールスクリーン。
【請求項３】
前記シート材は、少なくとも前記巻取パイプに巻取られた状態にある前記スクリーンに接触可能な長さを有することを特徴とする、請求項１又は２に記載のロールスクリーン。
【請求項４】
前記シート材は、前記スクリーンの他端と同じ位置で固定されることを特徴とする、請求項１〜３のいずれかに記載のロールスクリーン。
【請求項５】
前記スクリーンの他端と前記シート材の上端とは一体となって連結されることを特徴とする、請求項１〜４のいずれかに記載のロールスクリーン。
【請求項６】
前記支持部材は前記巻取パイプの長手方向に沿って延設されるセットフレームであり、前記シート材の上端は、前記セットフレームに連結されることを特徴とする、請求項１〜５のいずれかに記載のロールスクリーン。
【発明の詳細な説明】
【技術分野】
【０００１】
本発明は、ロールスクリーンに関する。
【背景技術】
【０００２】
従来のロールスクリーンとしては、特開平１１−３５０８５５号公報（特許文献１）に示されるものがある。特許文献１に示されるロールスクリーンでは、一対の支持部材間に回転可能に支持された巻取軸にスクリーンの一端を巻着し、支持部材間に支持されたサポート部材にスクリーンの他端を取着し、巻取軸とサポート部材との間で無端状に垂下されるスクリーンの無端縁にウェイトバーを掛装する。ウェイトバーは、スクリーンの無端縁に掛装するメインローラと、メインローラ上において、互いに近接して支持される一対のフェイスローラとから構成する。スクリーンは、メインローラからフェイスローラ間を経て、巻取軸及びサポート部材に向かって案内される。
【０００３】
このような構成によれば、ウェイトバー内において、フェイスローラの作用により、サポートパイプと巻取軸から垂下されるスクリーンを密接させることができ、巻取軸とウェイトバーとの間で２枚のスクリーンを密接させることができる。このため、透過部と不透過部とを交互に有するスクリーンにおいて、前後の透過部と不透過部とを重ね合わせてスクリーン全体を不透過状態とするとき、両スクリーンの間隙から不透過部への光の洩れを防止して、スクリーンを確実に不透過状態とすることができる効果を有する。
【０００４】
また、サポートパイプから垂下されるスクリーンには、巻取軸から垂下されるスクリーンと当接する部分に摩擦低減材を貼着したので、互いに当接するスクリーン間の摩擦を低減して、スクリーンの巻取り及び巻戻しを円滑に行うことができる。
【先行技術文献】
【特許文献】
【０００５】
【特許文献１】特開平１１−３５０８５５号公報
【発明の概要】
【発明が解決しようとする課題】
【０００６】
しかしながら、上記従来のロールスクリーンでは、摩擦を低減するための摩擦低減材は、塩化ビニール、ポリエチレンあるいはポリエステル等の合成樹脂にてなるテープであり、テープがスクリーンに貼着される構造である。スクリーンに貼着されているテープには常に巻取軸側のスクリーンとの相対移動による負荷が生じているため、長期の使用によってシールがスクリーン面から剥がれるおそれがあり、耐久性の面で課題があった。
【０００７】
また、スクリーンの下限位置の決定は、サポートパイプを操作してスクリーンの垂下量を調整することになるが、スクリーンの垂下量を調整すると合わせて摩擦低減部材の位置も移動してしまうため、スクリーン垂下量の調整後に摩擦低減部材の位置も調整しなければならないという課題があった。
【０００８】
そこで本発明は、このような問題に鑑みてなされたもので、その目的とするところは、スクリーン間に摩擦低減用のシート材を容易に配置し、その垂下長さを変更する必要がないロールスクリーンを提供することにある。
【課題を解決するための手段】
【０００９】
上記課題を解決するために、本発明によれば、支持部材によって両端を回転可能に支持される巻取パイプと、一端が巻取パイプに巻取り及び巻解き可能に連結されるスクリーンと、前記スクリーンとは独立に垂下するシート材と、を備え、前記スクリーンは、前記巻取パイプから垂下してウェイトバーで折り返されることによって、前後に重なった状態で昇降し、前記シート材は、前記巻取パイプの外周に向かって垂下し、前後の前記スクリーン間に介在されることを特徴とする、ロールスクリーンが提供される。
【００１０】
なお、シート材がスクリーンとは独立に垂下するとは、例えばシート材が端部だけではなく全体的にスクリーンと貼着等されて全体的に一体化されているような状態ではなく、シート材とスクリーンとを独立に取り付け等できるなど個別に扱える状態をいう。また、スクリーンの他端が連結される位置やシート材の上端が連結される位置は特に限定されず、ロールスクリーン内の任意の位置に連結することができる。
【００１１】
かかる本発明によれば、前後のスクリーン間にシート材を介在させることで、スクリーン昇降時における前後のスクリーン間で発生する擦れの発生をシート材によって低減することができ、シート材として摩擦係数の低いものであれば擦れ音を抑制し、帯電防止性を有するものであれば静電気の発生を抑制することができる。そして、シート材は、スクリーンとは独立して垂下する構成としたことで、シート材を容易にスクリーン間に配置することができるとともにスクリーンの垂下量を調整するときでもシート材の垂下長さを変更する必要はない。
【００１２】
本発明は様々な応用が可能である。以下の応用例は、適宜組み合わせることが可能である。例えば、前記シート材の上端は、前記巻取パイプの外周面よりも軸心寄りの位置に連結されるようにしてもよい。シート材を巻取パイプの外周面よりも軸心寄りの位置に連結することによって、巻取パイプに巻き取られたスクリーンの外周面に巻き付くようにシート材が垂下するため、前後のスクリーン間にシート材をより確実に介在させることができる。
【００１３】
また、前記シート材は、少なくとも前記巻取パイプに巻取られた状態にある前記スクリーンに接触可能な長さを有するようにしてもよい。シート材の垂下長さを、巻取パイプに巻取られた状態にあるスクリーンに接触可能な長さとすることで、前後のスクリーン間の擦れが最も発生しやすい位置に、より確実にシート材を介在させることができる。
【００１４】
また、前記シート材は、前記スクリーンの他端と同じ位置で固定されるようにしてもよい。シート材とスクリーンの他端とを固定する先が同じことで、例えばシート材とスクリーンを固定するための構造をそれぞれ設けずに１つ設けるだけで済む。また、シート材とスクリーンの他端が同じ位置で固定されることで、ロールスクリーン全体の見栄えもよい。
【００１５】
また、前記スクリーンの他端と前記シート材の上端とは一体となって連結されるようにしてもよい。スクリーン他端とシート材とを部分的に連結するなど一体にして支持部材に連結可能とすることで、シート材の取り付け作業が容易となる。なお、スクリーンの他端とシート材の上端とを一体となって連結するときでも、必ずしも同じ位置に固定しなくてもよい。例えば、スクリーンの他端とシート材の上端とが二股状に連結されており、二股状のそれぞれの片がそれぞれ別々の位置に連結する構成のような場合である。
【００１６】
また、前記支持部材は前記巻取パイプの長手方向に沿って延設されるセットフレームであり、前記シート材の上端は、前記セットフレームに連結されるようにしてもよい。セットフレームの内部空間を利用してシート材を連結することができるため、セットフレームと巻取パイプに巻取られたスクリーンとの干渉を防止するための隙間を大きくとる必要はなく、セットフレームに対する巻取パイプの軸心の位置を下方に下げる必要はない。
【発明の効果】
【００１７】
本発明によれば、シート材を容易にスクリーン間に配置することができるとともにスクリーンの摩擦低減用のシート材の垂下長さを変更する必要がないロールスクリーンを提供することが可能である。本発明のその他の効果については、後述する発明を実施するための形態においても説明する。
【図面の簡単な説明】
【００１８】
【図１】実施形態にかかるロールスクリーン１００の全体構成を概略的に示した図である。
【図２】スクリーン及びシート材の固定状態を示す断面図である。
【図３】スクリーンを巻き取ったときと巻き解いたときのシート材の状態を示す断面図であり、（ａ）はスクリーンを巻き取ったときの状態を示す図であり、（ｂ）はスクリーンを巻き解いたときの状態を示す図である。
【図４】ロールスクリーンの動作を説明するための図であり、（ａ）はスクリーンが全開のときの状態を示す図であり、（ｂ）はスクリーンの巻き解きを開始したときの状態を示す図であり、（ｃ）は調光時の状態を示す図であり、（ｄ）は全閉時の状態を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
まず、本実施形態のロールスクリーン１００の全体の構成について、図１〜図３を参照しながら説明する。図１は実施形態にかかるロールスクリーン１００の全体構成を概略的に示した図である。図２は、スクリーン及びシート材の固定状態を示す断面図である。図３は、スクリーンを巻き取ったときと巻き解いたときのシート材の状態を示す断面図であり、（ａ）はスクリーンを巻き取ったときの状態を示す図であり、（ｂ）はスクリーンを巻き解いたときの状態を示す図である。
【００２１】
本実施形態のロールスクリーン１００は、図１に示したように、セットフレーム（支持部材）１１０によって両端を回転可能に支持される巻取パイプ１２０と、一端が巻取パイプ１２０に巻取り及び巻解き可能に連結されるスクリーン１３０と、スクリーン１３０とは独立に垂下するシート材１５０と、を備え、スクリーン１３０は、巻取パイプ１２０から垂下してウェイトバー１４０で折り返されることによって、前後に重なった状態で昇降し、シート材１５０は、巻取パイプ１２０の外周に向かって垂下し、前後のスクリーン１３０間に介在されて構成される。以下、ロールスクリーン１００の各部の構成について詳細に説明する。
【００２２】
（セットフレーム１１０）
セットフレーム１１０は、ロールスクリーン１００を窓枠や天井等に取り付けるためのものであり、巻取パイプ１２０の長手方向に沿って延設される。セットフレーム１１０は、図１に示したように、図示していない窓枠や天井等にブラケット１６０を介して固定される。セットフレーム１１０の両端には、巻取パイプ１２０の両端を回転可能に支持するサイドブラケット１７０が設けられている。
【００２３】
セットフレーム１１０の前後方向中央位置には、図２に示したように、長手方向全長にわたって下方が開放された凹状の形状の固定部１１２が形成されている。固定部１１２は、後述の後側スクリーン固定プレート１３２とシート固定プレート１５２とが収納される大きさである。固定部１１２の前後方向の両端には、互いに接近する方向に突出し、後側スクリーン固定プレート１３２とシート固定プレート１５２の端部を係止する一対の係止突部１１４が形成されている。固定部１１２の開口部１１６は、一対の係止突部１１４によって内部の空間よりも幅が狭くなっている。
【００２４】
（巻取パイプ１２０）
巻取パイプ１２０は、スクリーン１３０を巻取り及び巻解くものである。巻取パイプ１２０は、図１に示したように、サイドブラケット１７０に両端が回転可能に支持されている。巻取パイプ１２０には、前側スクリーン１３０−１の上端が巻取り及び巻解き可能に連結されている。巻取パイプ１２０には、図２に示したように、収容部１２２が長手方向全長にわたって形成されており、収容部１２２に、後述する前側スクリーン１３０−１の上端に設けられた前側スクリーン固定プレート１３４が収容されることによって、巻取パイプ１２０に前側スクリーン１３０−１が連結されるようになっている。
【００２５】
巻取パイプ１２０の回転操作は、巻取パイプ１２０の一端においてスプロケット１８０に巻き掛けられた操作チェーン１９０を操作することにより行われ、また、操作チェーン１９０の操作を停止すれば、公知のストッパにより巻取パイプ１２０はその停止位置を維持可能となる。
【００２６】
（スクリーン１３０）
スクリーン１３０は、開口部を閉鎖するためのものである。スクリーン１３０は、図１に示したように、半透明部１３０ａと不透明部１３０ｂとが上下方向に交互に連続して形成されている。スクリーン１３０は、巻取パイプ１２０から垂下するとともにウェイトバー１４０で折り返されて上昇し、巻取パイプ１２０の後方を通って固定部１１２に固定されている。スクリーン１３０は、ウェイトバー１４０の自重によりその折り返し部が下方に引っ張られることによりテンションが掛かった状態を維持する。
【００２７】
スクリーン１３０は、図２に示したように、巻取パイプ１２０から垂下した前側スクリーン１３０−１の部分とセットフレーム１１０から垂下した後側スクリーン１３０−２の部分とで前後二重に垂下した状態になる。後側スクリーン１３０−２は、上端が前述のようにセットフレーム１１０の前後方向中央に位置する固定部１１２に固定されるため、巻取パイプ１２０の後側において、巻取パイプ１２０に巻き取られている前側スクリーン１３０−１の周面に沿って垂下することになる。よって、前側スクリーン１３０−１と後側スクリーン１３０−２とは、近接した状態で垂下することになる。
【００２８】
スクリーン１３０は、前後二重に垂下した状態であるため、前側スクリーン１３０−１と後側スクリーン１３０−２の半透明部１３０ａ同士と不透明部１３０ｂ同士とを前後に重ねて採光状態としたり、半透明部１３０ａと不透明部１３０ｂとを前後に重ねて遮蔽状態としたりすることができる。前述のように、前側スクリーン１３０−１と後側スクリーン１３０−２とは、近接した状態で垂下し、前側スクリーン１３０−１と後側スクリーン１３０−２との間の隙間が小さいため、隙間から光漏れが発生することが防止されている。
【００２９】
前側スクリーン１３０−１は、図２に示したように、前述のように、上端に前側スクリーン固定プレート１３４が連結されている。前側スクリーン固定プレート１３４が巻取パイプ１２０の収容部１２２に収容されて、巻取パイプ１２０に係止されることにより、前側スクリーン１３０−１の上端が巻取パイプ１２０に連結される。
【００３０】
一方、後側スクリーン１３０−２の上端には、図２に示したように、後側スクリーン固定プレート１３２が連結されており、この後側スクリーン固定プレート１３２がセットフレーム１１０の開口部１１６から固定部１１２に収容されて、係止突部１１４に係止されることにより、スクリーン１３０の他端が固定部１１２に固定される。
【００３１】
（ウェイトバー１４０）
ウェイトバー１４０は、スクリーン１３０を折り返し、ウェイトバー１４０の自重によりスクリーン１３０の折り返し部を下方に引っ張ってテンションを掛けるものである。ウェイトバー１４０は、図３に示したように、スクリーン１３０が巻き掛けられて折り返される折り返しパイプ１４２と、折り返しパイプ１４２よりも上方に配置され、前側スクリーン１３０−１と後側スクリーン１３０−２とを近接させる一対の近接パイプ１４４と、を内蔵している。
【００３２】
前後のスクリーン１３０−１、１３０−２は、折り返しパイプ１４２によって折り返されたのち、一対の近接パイプ１４４の間を挿通してウェイトバー１４０から導出されるようになっている。このように、前後のスクリーン１３０−１、１３０−２は、一対の近接パイプ１４４によってウェイトバー１４０側においても近接するため、巻取パイプ１２０からウェイトバー１４０までの全長にわたって近接した状態を保つことができる。
【００３３】
（シート材１５０）
シート材１５０は、前後のスクリーン１３０−１、１３０−２の接触による摩擦を防止するものである。シート材１５０は、摩擦係数の低いものであれば擦れ音を抑制し、帯電防止性を有するものであれば静電気の発生を抑制することができる。シート材１５０は、塩化ビニールや透明レザーなどで構成することができる。また、シート材１５０は、静電気防止材料を練り込んだものでもよい。また、シート材１５０に遮光性の高い材料を採用した場合には、セットフレーム１１０と巻取パイプ１２０との間からの光漏れを防止することができる。
【００３４】
シート材１５０は、図２に示したように、上端が後側のスクリーン１３０−２と同じ位置でセットフレーム１１０に着脱自在に連結され、下端がセットフレーム１１０の巻取パイプ１２０の外周よりも軸心寄りの位置から巻取パイプ１２０の外周に向かって垂下し、前後のスクリーン１３０−１、１３０−２間に介在される。
【００３５】
より詳細に説明するとシート材１５０の上端はシート固定プレート１５２に連結されている。シート固定プレート１５２は、前述のように、セットフレーム１１０の開口部１１６から固定部１１２に収容されて、端部が係止突部１１４に係止されることによって、セットフレーム１１０に着脱自在に連結される。セットフレーム１１０の固定部１１２には、後側スクリーン１３０−２の後側スクリーン固定プレート１３２も収容されるが、まず、シート固定プレート１５２を収容したのちに、後側スクリーン固定プレート１３２を収容することによって、シート材１５０が前後のスクリーン１３０−１、１３０−２の間に配置される。
【００３６】
シート材１５０の長さは、前後のスクリーン１３０−１、１３０−２が重なり合って巻取パイプ１２０に巻き付いている状態のときに相対移動すると摩擦が発生するものであるため、この部分に配置される長さであればよい。本実施形態では、シート材１５０は、次のような長さに設定されている。
【００３７】
以下、シート材１５０の最長の長さと最短の長さの基準について説明する。まず、シート材１５０の最長の長さは、図３（ａ）に示したように、スクリーン１３０が巻取パイプ１２０に完全に巻き取られ、ウェイトバー１４０が巻取パイプ１２０の近傍に位置した状態のときに、シート材１５０の下端がウェイトバー１４０よりも若干上方に位置するように設定されている。シート材１５０の最長の長さをこの長さに設定することによって、シート材１５０がウェイトバー１４０内に入り込まないので、ウェイトバー１４０内でのスクリーン１３０の移動を妨げないようになっている。
【００３８】
また、シート材１５０の最短の長さは、図３（ｂ）に示したように、スクリーン１３０が完全に巻き解かれた状態のときに、巻取パイプ１２０が後方に最も突出した位置（スクリーン１３０間で最も摩擦が発生しやすい位置）に前後のスクリーン１３０間に介在される長さに設定されている。シート材１５０の最短の長さをこの長さに設定することによって、前後のスクリーン１３０−１、１３０−２の間にシート材１５０が配置されることになる。
【００３９】
スクリーン１３０が完全に巻き取られた状態のときと、巻き解かれた状態のときの前後のスクリーン１３０とシート材１５０の状態について説明する。スクリーン１３０が完全に巻き取られた状態のときには、図３（ａ）に示したように、前後のスクリーン１３０−１、１３０−２は、巻取パイプ１２０の後側の上部において重なり合って巻取パイプ１２０に巻き付いている。この部分において、シート材１５０は前後のスクリーン１３０−１、１３０−２の間に配置されている。よって、前側スクリーン１３０−１が巻取パイプ１２０から巻き解かれて、前後のスクリーン１３０−１、１３０−２が相対移動しても、摩擦を軽減することができる。
【００４０】
また、スクリーン１３０が完全に巻き解かれた状態のときには、図３（ｂ）に示したように、前後のスクリーン１３０−１、１３０−２は、巻取パイプ１２０の後側の上部から後方に最も突出した位置よりも若干下方まで重なり合う。このような、前後のスクリーン１３０−１、１３０−２が重なり始める位置から重なり終わる位置の若干下方まで、シート材１５０は前後のスクリーン１３０−１、１３０−２の間に配置されている。よって、前側スクリーン１３０−１が巻取パイプ１２０から巻き解かれて、前後のスクリーン１３０−１、１３０−２が相対移動しても、摩擦を軽減することができる。
【００４１】
このように、シート材１５０は、スクリーン１３０が完全に巻き取られた状態から完全に巻き解かれた状態になるまで、前後のスクリーン１３０−１、１３０−２の間に配置される。よって、スクリーン１３０の巻取り状態がいかなる場合でも、前後のスクリーン１３０−１、１３０−２の摩擦がシート材１５０によって低減される。
【００４２】
以上、本実施形態のロールスクリーン１００の構成について説明した。次に、本実施形態のロールスクリーン１００の動作について、図４を参照しながら説明する。図４はロールスクリーン１００の動作を説明するための図であり、（ａ）はスクリーン１３０が全開のときの状態を示す図であり、（ｂ）はスクリーン１３０の巻き解きを開始したときの状態を示す図であり、（ｃ）は調光時の状態を示す図であり、（ｄ）は全閉時の状態を示す図である。
【００４３】
本実施形態のロールスクリーン１００において、図４（ａ）に示したように、スクリーン１３０が完全に巻き取られた状態のときは、ウェイトバー１４０が巻取パイプ１２０が後方に最も突出した位置まで上昇する。このとき、前後のスクリーン１３０−１、１３０−２は、間にシート材１５０が配された状態で、巻取パイプ１２０の後側の上部で重なり合い巻取パイプ１２０に巻き付いた状態になる。
【００４４】
前側スクリーン１３０−１が巻取パイプ１２０から巻き解かれると、図４（ｂ）に示したように、ウェイトバー１４０が下降し、前後のスクリーン１３０−１、１３０−２は重なり合った状態を維持しながらスクリーン１３０全体が下降する。このとき、移動するのは前側スクリーン１３０−１のみであるため、前後のスクリーン１３０−１、１３０−２は相対移動することになる。よって、前後のスクリーン１３０−１、１３０−２が重なり合って巻取パイプ１２０に巻き付いている部分には、摩擦が発生することになるが、重なり合った前後のスクリーン１３０−１、１３０−２の間にはシート材１５０が配置されるため、摩擦が低減される。
【００４５】
前側スクリーン１３０−１を巻取パイプ１２０からさらに巻き解いて、図４（ｃ）に示したように、スクリーン１３０を最も下降させて調光状態にすると、前後のスクリーン１３０−１、１３０−２の半透明部１３０ａ同士と不透明部１３０ｂ同士が重なり合った状態になる。このとき、前後のスクリーン１３０−１、１３０−２は近接配置されるので、半透明部１３０ａ同士と不透明部１３０ｂ同士とが重なり合うときの位置ずれを防止することができる。
【００４６】
調光状態から、前側スクリーン１３０−１を巻取パイプ１２０からさらに巻き解くと、図４（ｄ）に示したように、前後のスクリーン１３０−１、１３０−２の半透明部１３０ａと不透明部１３０ｂとが重なり合い、遮光状態になる。このとき、前後のスクリーン１３０−１、１３０−２は近接配置されるので、前後のスクリーン１３０−１、１３０−２の隙間からの光漏れを防止することができる。また、半透明部１３０ａと不透明部１３０ｂとが重なり合うときの位置ずれを防止することができる。
【００４７】
（本実施形態の効果）
以上説明したように、本実施形態によれば、前後のスクリーン１３０−１、１３０−２間にシート材１５０を介在させることで、スクリーン１３０昇降時における前後のスクリーン１３０−１、１３０−２間で発生する擦れの発生をシート材１５０によって低減することができ、シート材１５０として摩擦係数の低いものであれば擦れ音を抑制し、帯電防止性を有するものであれば静電気の発生を抑制することができる。そして、シート材１５０は、スクリーン１３０とは独立して垂下する構成としたことで、スクリーン１３０の垂下量を調整するときでもシート材１５０の垂下長さを変更する必要はない。
【００４８】
また、シート材１５０を巻取パイプ１２０の外周面よりも軸心寄りの位置に連結することによって、巻取パイプ１２０に巻き取られたスクリーン１３０の外周面に巻き付くようにシート材１５０が垂下するため、前後のスクリーン１３０−１、１３０−２間にシート材１５０をより確実に介在させることができる。
【００４９】
また、シート材１５０の垂下長さを、巻取パイプ１２０に巻取られた状態にあるスクリーン１３０に接触可能な長さとすることで、前後のスクリーン１３０−１、１３０−２間の擦れが最も発生しやすい位置に、より確実にシート材１５０を介在させることができる。
【００５０】
また、シート材１５０とスクリーン１３０の他端とを固定する先が同じことで、例えばシート材１５０とスクリーン１３０を固定するための構造、すなわち固定部１１２を固定する先に２つ設けなくても１つ設けるだけで済む。また、シート材１５０とスクリーン１３０の他端が同じ位置で固定されることで、ロールスクリーン１００全体の見栄えもよい。
【００５１】
また、セットフレーム１１０の内部空間を利用してスクリーン１３０の他端やシート材１５０を連結することができるため、セットフレーム１１０と巻取パイプ１２０に巻取られたスクリーン１３０との干渉を防止するための隙間を大きくとる必要はなく、セットフレーム１１０に対する巻取パイプ１２０の軸心の位置を下方に下げる必要はない。
【００５２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５３】
例えば、上記実施形態では、シート材の上端は、巻取パイプの外周面よりも軸心寄りの位置に着脱自在に連結される構成としたが、本発明はこの例に限定されない。例えば、巻取パイプの外周面とほぼ同じ位置であったり、外周面よりも外側の位置であったりするなど、任意の構成とすることができる。
【００５４】
また、上記実施形態では、シート材は、スクリーン１３０が巻取パイプ１２０に完全に巻き取られ、ウェイトバー１４０が巻取パイプ１２０の近傍に位置した状態のときに、シート材１５０の下端がウェイトバー１４０よりも若干上方に位置し、スクリーン１３０が完全に巻き解かれた状態のときに、巻取パイプ１２０が後方に最も突出した位置（スクリーン１３０間で最も摩擦が発生しやすい位置）に前後のスクリーン１３０間に介在される長さに設定したが、本発明はこの例に限定されない。シート材は、少なくとも巻取パイプに巻取られた状態（巻かれた状態）にあるスクリーンに接触可能な長さを有すればよく、例えば、シート材はスクリーンが最も下降した位置まで設けるなど、任意の構成とすることができる。
【００５５】
また、上記実施形態では、シート材は、スクリーンの他端とセットフレームの同じ位置で固定される構成としたが、本発明はこの例に限定されず、シート材とスクリーンは、セットフレームの別々の位置に固定されたり、セットフレーム以外の部材の別々の位置に固定されたり、別々の部材に固定されたりなど、任意の位置に固定される構成とすることができる。
【００５６】
また、上記実施形態では、シート材は、スクリーンの他端とセットフレームの同じ位置で別々に固定される構成としたが、本発明はこの例に限定されず、任意の構成とすることができる。例えば、スクリーンの他端とシート材の上端とを一体化してセットフレームに連結したり、セットフレーム以外の部材に連結したりしてもよい。また、シート材とスクリーンの他端とを一体となって連結するときでも、スクリーンの他端とシート材の上端とが二股状に連結されており、二股状のそれぞれの片がそれぞれ別々の位置に連結する構成場合などのように、必ずしも同じ位置に固定しなくてもよい。
【００５７】
また、上記実施形態では、スクリーンの他端とシート材の上端とをセットフレームに連結される構成としたが、本発明はこの例に限定されず、任意の位置に連結することができる。例えば、セットフレームとは別の補助フレーム（例えば、セットフレームの後面から後方に突出する形態の補助フレームなど）を設け、これにスクリーンの他端やシート材の上端を連結したり、スクリーンの他端とシート材の上端とを別々の部材に連結したりするなど、任意の構成とすることができる。
【００５８】
また、上記実施形態では、シート材の上端は、セットフレームに着脱自在に連結される構成としたが、本発明はこの例に限定されない。例えば、シート材の上端をセットフレームに着脱できないような形態で固定するなど、任意の構成とすることができる。
【００５９】
以上説明した実施形態や応用例は、任意に組み合わせることができる。
【符号の説明】
【００６０】
１００  ロールスクリーン
１１０  セットフレーム（支持部材）
１１２  固定部
１１４  係止突部
１１６  開口部
１２０  巻取パイプ
１２２  収容部
１３０  スクリーン
１３０ａ  半透明部
１３０ｂ  不透明部
１３０−１  前側スクリーン
１３０−２  後側スクリーン
１３２  後側スクリーン固定プレート
１３４  前側スクリーン固定プレート
１４０  ウェイトバー
１４２  折り返しパイプ
１４４  近接パイプ
１５０  シート材
１５２  シート固定プレート
１６０  ブラケット
１７０  サイドブラケット
１８０  スプロケット
１９０  操作チェーン
【図１】
2018071084.tif 000003
【図２】
2018071084.tif 000004
【図３】
2018071084.tif 000005
【図４】
2018071084.tif 000006